(57)【要約】【課題】ボルトに対してナット部材の着脱が容易な脱落防止ボルトを提供する。【解決手段】ボルト１０は、ボルト本体１と円筒状の脱落防止部材２を備える。ボルト本体１は、頭部１１ｈ、雄ねじ部１１ｍ、及び嵌合軸部１１ｆを備える。嵌合軸部１１ｆは、雄ねじ部１１ｍの中間部に形成し、脱落防止部材２が嵌合軸部１１ｆに嵌合される。脱落防止部材２は、円形の外周２ｃと突部２ｂを有する。外周２ｃは、雄ねじ部１１ｍに螺合自在なナット部材３ｎの雌ねじ部３ｆの山径より直径を小さく構成している。突部２ｂは、脱落防止部材２の外周２ｃから円錐台状に膨出し、先端面がナット部材３ｎの雌ねじ部３ｆの内壁を押圧できる。ナット部材３ｎを所定のトルク以上で回転した状態では、ナット部材３ｎを螺進できる。ナット部材３ｎが突部２ｂを通過した状態では、突部２ｂが弾性復帰して、ナット部材３ｎの脱落を防止できる。【選択図】図２
2018028351.tif 000002
【特許請求の範囲】
【請求項１】
一端部に頭部を有し、軸部に雄ねじ部、及び、前記雄ねじ部の中間部に形成した嵌合軸部を有するボルト本体と、
前記嵌合軸部を外周方向から導入自在な切り欠きを外周に開口し、前記嵌合軸部の外周に密着自在に、前記嵌合軸部に嵌合した円筒状の脱落防止部材と、を備え、
前記脱落防止部材は、
前記雄ねじ部に螺合自在なナット部材の雌ねじ部の山径より直径が小さい円形の外周と、
当該脱落防止部材の外周から膨出し、先端面が前記ナット部材の雌ねじ部の内壁を押圧自在な突部と、を有し、
前記ボルト本体に対して前記ナット部材を所定のトルク以上で回転した状態では、前記突部の押圧力に抗して、前記ナット部材を前記ボルト本体に対して螺進でき、
前記ナット部材が前記頭部に向かって前記突部を通過した状態では、前記突部が弾性復帰して、前記ボルト本体に対して前記ナット部材の脱落を防止する、脱落防止ボルト。
【請求項２】
前記突部の形状は円錐台状である請求項１記載の脱落防止ボルト。
【請求項３】
前記頭部は、すり割り溝付きの正六角柱からなる請求項１又は２記載の脱落防止ボルト。
【請求項４】
一端部に頭部を有し、軸部に雄ねじ部、及び、前記雄ねじ部の中間部に形成した嵌合軸部を有するボルト本体と、前記嵌合軸部に嵌合する円筒状の脱落防止部材とを備えた脱落防止ボルトの、脱落防止部材であって、
前記雄ねじ部に螺合自在なナット部材の雌ねじ部の山径より直径が小さい円形の外周と、
当該脱落防止部材の外周から膨出し、先端面が前記ナット部材の雌ねじ部の内壁を押圧自在な突部と、を有し、
前記突部は、前記ボルト本体に対して前記ナット部材を所定のトルク以上で回転した状態では、前記ナット部材を前記ボルト本体に対して螺進できるように押圧され、前記ナット部材が前記頭部に向かって前記突部を通過した状態では、弾性復帰して、前記ボルト本体に対して前記ナット部材の脱落を防止する、脱落防止部材。
【請求項５】
前記突部の形状は円錐台状である請求項４記載の脱落防止部材。
【発明の詳細な説明】
【技術分野】
【０００１】
本発明は、脱落防止ボルト及び脱落防止部材に関する。特に、ボルトのねじ部に螺合したナット部材がボルトから脱落することを防止する脱落防止部材を備えた脱落防止ボルト及び脱落防止部材の構造に関する。
【背景技術】
【０００２】
ボルト及びナットは、複数の被締結部材を着脱自在に結合させるための締結具として広く使用されている。これらのボルト及びナットは、振動が繰り返して作用すると、ボルトに対してナットが弛み易いことから、ボルトの軸部にその外周方向からピン穴を貫通し、このピン穴に割ピンを挿通して係止することで、ボルトからナットが脱落することを防止している。
【０００３】
しかし、従来の脱落防止ボルトは、その軸部にナットを螺合した後に、割ピンをボルトの軸部にその外周方向から挿入する必要があった。又、割ピンをボルトの軸部の挿通後に、割ピンの先端側を外側に折り曲げる必要があった。このため、従来の脱落防止ボルトは、作業性が良くないという問題があった。
【０００４】
このため、ボルトの軸部にナットを螺合するだけで、ボルトからナットが脱落することを防止できる脱落防止ボルトが開示されている（例えば、特許文献１参照）。
【先行技術文献】
【特許文献】
【０００５】
【特許文献１】特開平９−６８２１１号公報
【発明の概要】
【発明が解決しようとする課題】
【０００６】
図７は、従来技術による脱落防止ボルトの構成を示す正面図であり、ボルトの軸部にナットを装着した状態図である。図８は、従来技術による脱落防止ボルトの構成を示す部分拡大縦断面図であり、ボルトの軸部にナットを装着した状態図である。なお、本願の図７と図８は、特許文献１の図１と図２に相当している。
【０００７】
図７又は図８を参照すると、従来技術による脱落防止ボルト９は、ボルト本体９１、ビン部材９２、及び、圧縮コイルばね９３を備えている。ボルト本体９１は、頭部９１ｈと軸部９１ｓで構成している。軸部９１ｓは、雄ねじ部９１ｍを先端部側に形成している。
【０００８】
図７又は図８を参照すると、雄ねじ部９１ｍには、ナット９ｎを螺合できる。又、雄ねじ部９１ｍには、軸部９１ｓの外周方向から軸部９１ｓの中心を通過した竪穴９１１を穿設している。
【０００９】
図７又は図８を参照すると、ビン部材９２は、圧縮コイルばね９３を介して、竪穴９１１に保持されている。又、ビン部材９２は、その先端部が雄ねじ部９１ｍの外周から出没自在に、竪穴９１１に保持されている。圧縮コイルばね９３は、ビン部材９２の先端部が雄ねじ部９１ｍの外周から突出する力を付勢している。
【００１０】
図８を参照すると、ビン部材９２は、斜面部９２ｓを先端に形成している。斜面部９２ｓは、軸部９１ｓの先端部から頭部９１ｈに向かって上り傾斜している。又、ビン部材９２は、段差部９２ｄを斜面部９２ｓと反対側に形成している。
【００１１】
図８を参照すると、竪穴９１１は、その開口縁の一部を封鎖するかしめ部９１２を有している。かしめ部９１２は、ビン部材９２の軸回りの回動を規制していると共に、段差部９２ｄの底面に当接して、軸部９１ｓに対して、ビン部材９２の脱落を防止できる。
【００１２】
図８を参照して、ナット９ｎを雄ねじ部９１ｍに螺合し、頭部９１ｈに向かってナット９ｎを螺進すると、ナット９ｎの雌ねじ部が斜面部９２ｓに摺接し、圧縮コイルばね９３の付勢力に抗して、ビン部材９２を押し下げることができる。そして、頭部９１ｈに向かってナット９ｎを螺進できる。
【００１３】
図７を参照して、ナット９ｎがビン部材９２を通過した後は、圧縮コイルばね９３の付勢力で、ビン部材９２の先端部を雄ねじ部９１ｍの外周から突出できる。そして、脱落防止ボルト９は、ナット９ｎがボルト本体９１から脱落することを防止できる。
【００１４】
特許文献１による脱落防止ボルトは、作業現場において、ナットの螺合作業だけで、割ピンの挿通作業などの細かい作業を行わずに、ナットの抜け止めを実施できる、としている。
【００１５】
しかし、特許文献１による脱落防止ボルト９は、ビン部材９２を竪穴９１１の内部に強制的に押し込まなければ、ナット９ｎをボルト本体９１から取り外すことができない（図７参照）、という問題がある。ボルトに対してナット部材の着脱が容易な脱落防止ボルトが求められている、そして、以上のことが本発明の課題といってよい。
【００１６】
本発明は、このような課題に鑑みてなされたものであり、ボルトに対してナット部材の着脱が容易な脱落防止ボルト及び脱落防止部材を提供することを目的とする。
【課題を解決するための手段】
【００１７】
本発明者らは、軸部の外周方向から嵌合自在な円筒状の脱落防止部材をボルトのねじ部の中間部に取り付け、脱落防止部材には、ナット部材に形成した雌ねじを押圧自在な円錐台状の突部を設けることで、ボルトに対してナット部材の着脱が容易にできることを見出し、これに基づいて、以下のような新たな脱落防止ボルト及び脱落防止部材を発明するに至った。
【００１８】
（１）本発明による脱落防止ボルトは、一端部に頭部を有し、軸部に雄ねじ部、及び、前記雄ねじ部の中間部に形成した嵌合軸部を有するボルト本体と、前記嵌合軸部を外周方向から導入自在な切り欠きを外周に開口し、前記嵌合軸部の外周に密着自在に、前記嵌合軸部に嵌合した円筒状の脱落防止部材と、を備え、前記雄ねじ部に螺合自在なナット部材の雌ねじ部の山径より直径が小さい円形の外周と、当該脱落防止部材の外周から円錐台状に膨出し、先端面が前記ナット部材の雌ねじ部の内壁を押圧自在な突部と、を有し、前記ボルト本体に対して前記ナット部材を所定のトルク以上で回転した状態では、前記突部の押圧力に抗して、前記ナット部材を前記ボルト本体に対して螺進でき、前記ナット部材が前記頭部に向かって前記突部を通過した状態では、前記突部が弾性復帰して、前記ボルト本体に対して前記ナット部材の脱落を防止する。
【００１９】
（２）前記突部の形状は円錐台状であってもよい。
（３）前記頭部は、すり割り溝付きの正六角柱からなってもよい。
【００２０】
（４）本発明による脱落防止部材は、一端部に頭部を有し、軸部に雄ねじ部、及び、前記雄ねじ部の中間部に形成した嵌合軸部を有するボルト本体と、前記嵌合軸部に嵌合する円筒状の脱落防止部材とを備えた脱落防止ボルトの、脱落防止部材であって、前記雄ねじ部に螺合自在なナット部材の雌ねじ部の山径より直径が小さい円形の外周と、当該脱落防止部材の外周から膨出し、先端面が前記ナット部材の雌ねじ部の内壁を押圧自在な突部と、を有し、前記突部は、前記ボルト本体に対して前記ナット部材を所定のトルク以上で回転した状態では、前記ナット部材を前記ボルト本体に対して螺進できるように押圧され、前記ナット部材が前記頭部に向かって前記突部を通過した状態では、弾性復帰して、前記ボルト本体に対して前記ナット部材の脱落を防止する。
【発明の効果】
【００２１】
本発明による脱落防止ボルトは、雄ねじ部の中間部に形成した嵌合軸部を有するボルト本体と、嵌合軸部に嵌合した円筒状の脱落防止部材と、を備え、脱落防止部材は、先端面がナット部材の雌ねじ部の内壁を押圧自在な突部を有し、ボルト本体に対してナット部材を所定のトルク以上で回転した状態では、突部の押圧力に抗して、ナット部材をボルト本体に対して螺進でき、ナット部材が頭部に向かって突部を通過した状態では、突部が弾性復帰して、ボルト本体に対してナット部材の脱落を防止できる。
本発明による脱落防止部材は、ボルト本体の雄ねじ部に螺合自在なナット部材の雌ねじ部の山径より直径が小さい円形の外周と、脱落防止部材の外周から膨出し、先端面が前記ナット部材の雌ねじ部の内壁を押圧自在な突部と、を有し、突部は、ボルト本体に対してナット部材を所定のトルク以上で回転した状態では、ナット部材をボルト本体に対して螺進できるように押圧され、ナット部材が前記頭部に向かって突部を通過した状態では、弾性復帰して、ボルト本体に対して前記ナット部材の脱落を防止できる。
【図面の簡単な説明】
【００２２】
【図１】本発明の一実施形態による脱落防止ボルトの構成を示す斜視図である。
【図２】前記実施形態による脱落防止ボルトの構成を示す斜視分解組立図である。
【図３】前記実施形態による脱落防止ボルトに備わる脱落防止部材の構成を示す図であり、図３（Ａ）は、脱落防止部材の平面図、図３（Ｂ）は、脱落防止部材の正面図、図３（Ｃ）は、脱落防止部材の左側面図、図３（Ｄ）は、脱落防止部材の斜視図である。
【図４】前記実施形態による脱落防止ボルトの構成を示す正面図であり、ボルト本体にナットを装着する前の状態図である。
【図５】前記実施形態による脱落防止ボルトの構成を示す正面図であり、ボルト本体にナットを装着した状態図である。
【図６】前記実施形態による脱落防止ボルトの構成を示す要部拡大縦断面図である。
【図７】従来技術による脱落防止ボルトの構成を示す正面図であり、ボルトの軸部にナットを装着した状態図である。
【図８】従来技術による脱落防止ボルトの構成を示す部分拡大縦断面図であり、ボルトの軸部にナットを装着した状態図である。
【発明を実施するための形態】
【００２３】
以下、図面を参照して本発明を実施するための形態を説明する。
【００２４】
［脱落防止ボルトの構成］
（全体構成）
最初に、本発明の一実施形態による脱落防止ボルトの全体構成を説明する。図１は、本発明の一実施形態による脱落防止ボルトの構成を示す斜視図である。図２は、前記実施形態による脱落防止ボルトの構成を示す斜視分解組立図である。
【００２５】
図３は、前記実施形態による脱落防止ボルトに備わる脱落防止部材の構成を示す図であり、図３（Ａ）は、脱落防止部材の平面図、図３（Ｂ）は、脱落防止部材の正面図、図３（Ｃ）は、脱落防止部材の左側面図、図３（Ｄ）は、脱落防止部材の斜視図である。
【００２６】
図４は、前記実施形態による脱落防止ボルトの構成を示す正面図であり、ボルト本体にナットを装着する前の状態図である。図５は、前記実施形態による脱落防止ボルトの構成を示す正面図であり、ボルト本体にナットを装着した状態図である。
【００２７】
図６は、前記実施形態による脱落防止ボルトの構成を示す要部拡大縦断面図である。
【００２８】
図１から図６を参照すると、本発明の一実施形態による脱落防止ボルト（以下、ボルトと略称する）１０は、ボルト本体１と円筒状の脱落防止部材２を備えている。ボルト本体１は、一端部に頭部１１ｈを有し、軸部に雄ねじ部１１ｍ、雄ねじ部１１ｍの中間部に形成された嵌合軸部１１ｆ、及びねじ山が形成されていない非雄ねじ部１１ｎを備えている。なお、非雄ねじ部１１ｎはなくてもよく、非雄ねじ部１１ｎの部分に雄ねじ部１１ｍを延長して設けてもよい。非雄ねじ部１１ｎの直径は雄ねじ部１１ｍの谷径と同じにしているが（図４参照）、雄ねじ部１１ｍの山径（外径）まで大きくしてもよい。
【００２９】
図２又は図３を参照すると、脱落防止部材２は、切り欠き２ｄを外周２ｃに設けて開口している。切り欠き２ｄによって、脱落防止部材２をボルト本体１の嵌合軸部１１ｆを外周方向から導入できる。そして、脱落防止部材２は、嵌合軸部１１ｆの外周に密着自在に、嵌合軸部１１ｆに嵌合している（図１又は図２参照）。
【００３０】
図３を参照すると、脱落防止部材２は、円形の外周２ｃと突部２ｂを有している。脱落防止部材２の外周２ｃは、雄ねじ部１１ｍに螺合自在なナット部材３ｎの雌ねじ部３ｆの山径（内径）より直径を小さく構成している（図１又は図２及び図６参照）。突部２ｂは、脱落防止部材２の外周２ｃから円錐台状に膨出している。突部２ｂは、その先端面がナット部材３ｎの雌ねじ部３ｆの内壁を押圧できる。突部２ｂは円錐台状に特に限定されず、半円状であってもよい。
【００３１】
図６を参照して、スパナ又はレンチなどの工具を用いて、ボルト本体１に対してナット部材３ｎを所定のトルク以上で回転した状態では、突部２ｂの押圧力に抗して、ナット部材３ｎをボルト本体１に対して螺進できる。
【００３２】
図５を参照して、ナット部材３ｎが頭部１１ｈに向かって突部２ｂを通過した状態では、突部２ｂが弾性復帰して、ボルト本体１に対してナット部材３ｎの脱落を防止できる。
【００３３】
（ボルト本体の構成）
次に、実施形態によるボルト本体１の構成を説明する。図１又は図２及び図４から図６を参照すると、ボルト本体１は、鉄鋼又はステンレス合金など金属部材からなることが好ましく、合成樹脂部材を必ずしも排除しない。ボルト本体１の雄ねじ部１１ｍにナット部材３ｎを締結することで、図示しない複数の被締結部材を着脱自在に結合できる。
【００３４】
図１又は図２及び図４又は図５を参照すると、実施形態によるボルト本体１は、すり割り溝１１ｄ付きの正六角柱からなる頭部１１ｈを有する六角ボルトを開示しているが、ボルト本体１は、四角柱の頭部を有する四角ボルトで構成することもでき、円柱形の頭部に六角形の穴を開口した六角穴付きボルトで構成がすることもできる。
【００３５】
（脱落防止部材の構成）
次に、実施形態による脱落防止部材２の構成を説明する。図３を参照すると、脱落防止部材２は、鉄鋼又はステンレス合金など金属部材からなることが好ましく、合成樹脂部材を必ずしも排除しない。
【００３６】
例えば、図３を参照して、帯状の金属板の一方の面から他方の面に向けて、突部２ｂを円錐台状に膨出させ、突部２ｂが外周面から突出した状態で、金属板を円筒状に成形することで、所望の形状の脱落防止部材２を得ることができる。
【００３７】
（ナット部材の構成）
次に、実施形態によるナット部材３ｎの構成を説明する。図１又は図２及び図４から図６を参照すると、ナット部材３ｎは、六角柱状の形状を有する六角ナットを開示したが、ナット部材３ｎは、四角柱状の形状を有する四角ナットで構成することもでき、板ナットで構成することもできる。
【００３８】
ナット部材３ｎは、雌ねじ部を形成した被締結部材を含むことができ、この被締結部材の雌ねじ部にボルト本体１の雄ねじ部１１ｍを締結することで、図示しない複数の被締結部材を着脱自在に結合できる。
【００３９】
［脱落防止ボルトの作用］
次に、実施形態によるボルト１０の作用及び効果を説明する。図６を参照して、スパナ又はレンチなどの工具を用いて、ボルト本体１に対してナット部材３ｎを所定のトルク以上で回転した状態では、突部２ｂの押圧力に抗して、ナット部材３ｎをボルト本体１に対して螺進できる。
【００４０】
図６を参照して、スパナ又はレンチなどの工具を用いて、ボルト本体１に対してナット部材３ｎを一方の方向に回転すると、ナット部材３ｎを頭部１１ｈに向って、螺進できる。スパナ又はレンチなどの工具を用いて、ボルト本体１に対してナット部材３ｎを他方の方向に回転すると、頭部１１ｈから離反する方向に、ナット部材３ｎを後退できる。そして、ボルト本体１からナット部材３ｎを取り外すことができる（図１又は図４参照）。
【００４１】
図１から図６を参照すると、実施形態によるボルト１０は、従来技術による脱落防止ボルト９と異なり、ビン部材９２を竪穴９１１の内部に強制的に押し込むことなく（図７又は図８参照）、ナット部材３ｎをボルト本体１から容易に取り外すことができるので、便利である。
【００４２】
一方、図５を参照して、ナット部材３ｎが頭部１１ｈに向かって突部２ｂを通過した状態では、突部２ｂが弾性復帰して、ボルト本体１に対してナット部材３ｎの脱落を防止できる。
【００４３】
実施形態によるボルト１０は、雄ねじ部１１ｍの中間部に形成した嵌合軸部１１ｆを有するボルト本体１と、嵌合軸部１１ｆに嵌合した円筒状の脱落防止部材２と、を備え、脱落防止部材２は、先端面がナット部材３ｎの雌ねじ部３ｆの内壁を押圧自在な突部２ｂを有し、ボルト本体１に対してナット部材３ｎを所定のトルク以上で回転した状態では、突部２ｂの押圧力に抗して、ナット部材３ｎをボルト本体１に対して螺進でき、ナット部材３ｎが頭部１１ｈに向かって突部２ｂを通過した状態では、突部２ｂが弾性復帰して、ボルト本体１に対してナット部材３ｎの脱落を防止できる。
【符号の説明】
【００４４】
１  ボルト本体
２  脱落防止部材
２ｂ  突部
２ｃ  外周
２ｄ  切り欠き
３ｆ  雌ねじ部
３ｎ  ナット部材
１０  ボルト（脱落防止ボルト）
１１  軸部
１１ｆ  嵌合軸部
１１ｈ  頭部
１１ｍ  雄ねじ部
【図１】
2018028351.tif 000003
【図２】
2018028351.tif 000004
【図３】
2018028351.tif 000005
【図４】
2018028351.tif 000006
【図５】
2018028351.tif 000007
【図６】
2018028351.tif 000008
【図７】
2018028351.tif 000009
【図８】
2018028351.tif 000010